(57)【要約】【課題】静止原稿と移動原稿のいずれも読み取り可能な画像読取装置において、簡単な構造の原稿台ガラスを提供する。【解決手段】原稿台ガラスの移動原稿読み取り位置、および静止原稿読み取り位置の各々の上面に透明板を配置し、かつその２枚の透明板の間に移動原稿をすくうためのジャンプ台を配置する。また、透明板の代わりに透明コーティングを各々の読み取り位置に施す。【選択図】        図１
2004336273.tif 000002
【特許請求の範囲】
【請求項１】
読み取り手段を走査することにより静止した原稿の画像を読み取る第１の読み取り部と、前記読み取り手段を静止し、自動原稿搬送装置から搬送される原稿を移動させることにより画像を読み取る第２の読み取り部とを有する画像読み取り装置において、
前記第１の読み取り部にて静止原稿を載置するための第１の透明部材と、前記第２の読み取り部にて前記自動原稿搬送装置から搬送される原稿を載置するための第２の透明部材と、前記第１の透明部材と前記第２の透明部材の間に、自動原稿搬送装置から搬送される原稿をすくい上げるための紙すくい部材と有し、
かつ前記第１の透明部材、前記第２の透明部材、前記紙すくい部材は第３の透明部材の上に載置されることを特徴とする画像読み取り装置。
【請求項２】
前記読み取り手段は密着型イメージセンサであり、
前記密着型イメージセンサの両端に設けられた一対のスペーサと、
前記スペーサを上方に付勢するための押圧手段とを備えることにより、
前記密着型イメージセンサは、前記第３の透明部材の下面と当接しながら移動することを特徴とする請求項１記載の画像読み取り装置。
【請求項３】
前記第１の透明部材と前記第２の透明部材、および第３の透明部材はガラスからなることを特徴とする請求項１、２記載の画像読み取り装置。
【請求項４】
前記第１の透明部材および前記第２の透明部材は、第３の透明部材に対して貼り合わせで形成されていることを特徴とする請求項１〜３記載の画像読み取り装置。
【請求項５】
読み取り手段を走査することにより静止した原稿の画像を読み取る第１の読み取り部と、前記読み取り手段を静止し、自動原稿搬送装置から搬送される原稿を移動させることにより画像を読み取る第２の読み取り部とを有する画像読み取り装置において、
原稿を載置するための透明部材と、
透明であり、かつ前記第１の読み取り部にて前記透明部材の表面に対して段差を形成するための第１の段差形成手段、
透明であり、かつ前記第２の読み取り部にて前記透明部材の表面に対して段差を形成するための第２の段差形成手段と、
前記第１の段差形成手段と前記第２の段差形成手段の間に、自動原稿搬送装置から搬送される原稿をすくい上げるための紙すくい部材と設けたことを特徴とする画像読み取り装置。
【請求項６】
前記第１の段差形成手段、および前記第２の段差形成手段は前記透明部材表面に施されるコーティングであることを特徴とする請求項５記載の画像読み取り装置。
【請求項７】
前記読み取り手段は密着型イメージセンサであり、
前記密着型イメージセンサの両端に設けられた一対のスペーサと、
前記スペーサを上方に付勢するための押圧手段とを備えることにより、
前記密着型イメージセンサは、前記第３の透明部材の下面と当接しながら移動することを特徴とする請求項５、６記載の画像読み取り装置。
【発明の詳細な説明】
【０００１】
【発明の属する技術分野】
本発明は、複写機、プリンタ、ファクシミリ等の画像形成装置に用いられる画像読み取り装置に関するものであり、詳しくは密着型イメージセンサを用いて原稿画像情報を読み取る画像読み取り装置に関する。
【０００２】
【従来の技術】
従来の画像読み取り装置においては、ＣＣＤイメージセンサあるいは密着型イメージセンサが用いられている。
【０００３】
密着型イメージセンサを用いた読み取り方式は、ＣＣＤイメージセンサを用いた縮小光学系読み取り方式に比べ、読み取り装置の高さを小さくでき、さらには駆動系も大幅に簡略化されるため低コストで読み取り装置を構成できる。
【０００４】
しかもＣＣＤ縮小光学系にみられる画像ブレがほとんど発生しないという利点も有する。
【０００５】
しかしながら、密着型イメージセンサは上述した利点を有するものの、レンズの焦点深度が浅く、画像読み取り面と密着型イメージセンサの相対位置が精度よく出ていないと、最適焦点が安定せず、所定の読み取り解像度（ＭＴＦ）が得られないという問題がある。
【０００６】
そこでこれらの不具合を解消するために、特開平１−２９３７５６号公報においては、密着型イメージセンサの両端に軽摩擦部材を設け、かつ軽摩擦部材が原稿台ガラス裏面に圧接するよう付勢部材により付勢した状態で、副走査方向に走査させることを提案している。
【０００７】
これにより画像読み取り面に対する密着型イメージセンサの焦点位置は常に一定になるよう保障される。
【０００８】
ところで、前記画像読み取り装置は、原稿トレイ上に積載された原稿を１枚ずつに分離して搬送されるＡＤＦ（Ａｕｔｏ  Ｄｏｃｕｍｅｎｔ  Ｆｅｅｄｅｒ）と組み合わされることが近年では多くなっている。
【０００９】
このＡＤＦを用いた原稿読み取り方法（以下、流し読み）と、原稿を固定した状態で密着型イメージセンサ等の読み取り部を走査させる原稿読み取り方法（以下、ブック読み）のふたつの読み取り方法を有することで、シート原稿の効率良い読み取りと厚物ブック原稿の読み取りの両方がおこなえる。
【００１０】
ＡＤＦを搭載した画像読取装置においては、流し読みとブック読みを各々独立した原稿台ガラスでおこなうタイプが主流となっている。
【００１１】
しかしながら、流し読みとブック読みを各々独立した原稿台ガラスでおこなうタイプのＡＤＦの場合、各々の原稿台ガラスの境に形成される段差等によって密着型イメージセンサの円滑な移動が阻害されて衝撃が発生し、繰り返し動作にて密着型イメージセンサあるいは軽摩擦部材に損傷を与えるおそれが生じる。
【００１２】
そこで特開平０７−２８８６５６号公報では、密着型イメージセンサがふたつの原稿台ガラス間を移動するとき、密着型イメージセンサをソレノイド等の駆動源で上下動させることにより、衝撃を完全に除去し、上記不具合を解消している。
【００１３】
また、同公報では、他の実施例において、密着型イメージセンサの両端に設けられたスペーサを原稿台ガラスから離間するよう、境部分に突起体もしくはシートを設けることにより、衝撃を最小限に抑える工夫も提案している。
【００１４】
しかしながら同公報における読み取り装置においては、ふたつの原稿台ガラス間を移動する際の手段としてソレノイド等の駆動を用いているため、装置全体のコストが高くなり、また移動体の重量も増えることから、モーターへの負荷が増大し、さらなるコストアップや装置の大型化などの問題が生じてしまう。
【００１５】
また、境部分に突起体を設けて衝撃を抑えようとしているものの、突起体への乗り上げ時に衝撃が発生するため、根本的な解決には至っていない。
【００１６】
つまり密着型センサを用いた画像読み取り装置の場合は、流し読みとブック読みを各々独立した原稿台ガラスでおこなうよりも、密着型イメージセンサを圧接状態で移動させるることのできるよう、双方の読み取りを単一のガラスでおこなえるほうが望ましい。
【００１７】
しかしながら、単一のガラスで読み取りをおこなう場合、ＡＤＦから搬送されてきた原稿をガラス表面からすくいとるための手段が必要となる。
【００１８】
そこで特開平１０−４４７４号公報では、原稿ガラスにスクレーパシートを密着させることにより、原稿をガラス表面からすくいとることを提案している。
【００１９】
また、特開平１０−１０７９５６号公報では、原稿をガラス中央部からガラス端部方向に搬送させることにより、ガラス表面で原稿をすくいとることを回避している。
【００２０】
さらには、特許番号３００６２２９では、単一の原稿台ガラスの表面に流し読み用の透明部材を貼り付け、その段差により原稿をすくいとることを提案している。
【００２１】
【発明が解決しようとする課題】
しかしながら、特開平１０−４４７４号公報ではスクレーパシートを介して原稿を読み取っているため、スクレーパシート分の焦点位置修正手段が必要となる。
【００２２】
また、スクレーパシートはガラスに比べて柔らかく傷がつきやすいため、画像に影響をおよぼすことになりかねない。
【００２３】
また、特開平１０−１０７９５６号公報では、排出された原稿をうけとるためのトレイが画像読み取り装置本体よりも左に突出しており、せっかく密着型イメージセンサを使って本体サイズの小型化を計ろうとしているのに反して装置の大型化を招くことになる。
【００２４】
排紙経路をＵターンさせる方法もあるが、排出トレイが原稿給紙トレイの上方に位置するため、ユーザーにとっては非常に使いにくい装置となる。
【００２５】
また、特許番号３００６２２９では裏面に焦点位置修正手段の透明部材を貼り付けているため、ガラス裏面に近接もしくは密着する密着型イメージセンサには不向きな形態となっている。
【００２６】
本発明は上記に鑑みてなされたものであり、密着型イメージセンサを用いた読み取り装置で、さらには流し読みとブック読みの両方の読み取りを単一の原稿台ガラスでおこなう画像読み取り装置において、読み取られた原稿を原稿台ガラスから確実にすくい、かつ焦点の安定した画像読み取りが可能な読取装置を提供することにある。
【００２７】
【課題を解決するための手段】
前記目的を達成するため、本発明の読取装置は、読み取り手段を走査することにより静止した原稿の画像を読み取る第１の読み取り部と、前記読み取り手段を静止し、自動原稿搬送装置から搬送される原稿を移動させることにより画像を読み取る第２の読み取り部とを有する画像読み取り装置において、前記第１の読み取り部にて静止原稿を載置するための第１の透明部材と、前記第２の読み取り部にて前記自動原稿搬送装置から搬送される原稿を載置するための第２の透明部材と、前記第１の透明部材と前記第２の透明部材の間に、自動原稿搬送装置から搬送される原稿をすくい上げるための紙すくい部材と有し、かつ前記第１の透明部材、前記第２の透明部材、前記紙すくい部材は第３の透明部材の上に載置されることを特徴とする。
【００２８】
また、前記読み取り手段は密着型イメージセンサであり、前記密着型イメージセンサの両端に設けられた一対のスペーサと、前記スペーサを上方に付勢するための押圧手段とを備えることにより、前記密着型イメージセンサは、前記第３の透明部材の下面と当接しながら移動することを特徴とする。
【００２９】
また、前記第１の透明部材と前記第２の透明部材、および第３の透明部材はガラスからなることを特徴とする。
【００３０】
また、前記第１の透明部材および前記第２の透明部材は、第３の透明部材に対して貼り合わせで形成されていることを特徴とする。
【００３１】
また、読み取り手段を走査することにより静止した原稿の画像を読み取る第１の読み取り部と、前記読み取り手段を静止し、自動原稿搬送装置から搬送される原稿を移動させることにより画像を読み取る第２の読み取り部とを有する画像読み取り装置において、原稿を載置するための透明部材と、透明であり、かつ前記第１の読み取り部にて前記透明部材の表面に対して段差を形成するための第１の段差形成手段、透明であり、かつ前記第２の読み取り部にて前記透明部材の表面に対して段差を形成するための第２の段差形成手段と、前記第１の段差形成手段と前記第２の段差形成手段の間に、自動原稿搬送装置から搬送される原稿をすくい上げるための紙すくい部材と設けたことを特徴とする。
【００３２】
また、前記第１の段差形成手段、および前記第２の段差形成手段は前記透明部材表面に施されるコーティングであることを特徴とする。
【００３３】
前記読み取り手段は密着型イメージセンサであり、前記密着型イメージセンサの両端に設けられた一対のスペーサと、前記スペーサを上方に付勢するための押圧手段とを備えることにより、前記密着型イメージセンサは、前記第３の透明部材の下面と当接しながら移動することを特徴とする。
【００３４】
【発明の実施の形態】
（実施例１）
以下、本発明を図面に示した実施例に沿って詳細に説明する。
【００３５】
図１は第１の実施例を示す正面断面図であり、図２は側面断面図、図３は各々原稿台ガラスの構成を示す拡大図である。
【００３６】
１００は読み取り装置本体であり、読み取り装置本体１００の上部には自動原稿搬送装置（ＡＤＦ）２００が載置されている。
【００３７】
１は原稿台ガラスであり、原稿台ガラス１の上面には、ＡＤＦ２００から搬送された原稿を読み取るための流し読み用ガラス２、および原稿を静止した状態で読み取る際に使用されるブック読み用ガラス３が載置されている。
【００３８】
また、ＡＤＦ２００により搬送された原稿を流し読み用ガラス２からすくいとるためのジャンプ台４が同じく原稿台ガラス１の上面で、かつ流し読み用ガラス２とブック読み用ガラス３の間に配置されている。
【００３９】
ここで流し読み用ガラス２とブック読み用ガラス３は原稿台ガラス１に対して載置されるだけでも構わないし、貼り付けの状態、いわゆるあわせガラスであっても構わない。
【００４０】
また、ジャンプ台４は原稿台ガラス１に対して接着、または両面テープなどにより、原稿台ガラス１に固着されている。
【００４１】
１８は密着型イメージセンサであり、図中矢印方向に移動することにより、流し読み用ガラス２上に搬送された原稿、あるいはブック読み用ガラス３上に載置された原稿の画像を画像データとして取り込む。
【００４２】
密着型イメージセンサ１８はセンサの長手方向両端部に配置されたコイルスプリング１９、２０を介して、キャリッジ２１に保持されている。
【００４３】
すなわちキャリッジ２１の端部に設けられた２本の案内ピン２２、２３にそれぞれコイルスプリング１９、２０が通されている。
【００４４】
案内ピン２２、２３の先端部は密着型イメージセンサ１８の両端部に設けられたフランジ部２４、２５の孔に通されている。
【００４５】
孔は案内ピン２２、２３に勘合されており、したがって密着型イメージセンサ１８は原稿台ガラス１方向に付勢されることになる。
【００４６】
付勢される密着型イメージセンサ１８は両端にスペーサ２６、２７を有している。
【００４７】
スペーサ２６、２７は前記の付勢力により原稿台ガラス１の下面に当接する。
【００４８】
ここで、スペーサ２６、２７はＰＯＭやナイロンといった摺動性のある樹脂であり、移動する際の摺動抵抗を極力軽減している。
【００４９】
キャリジ２１は長手方向中央付近に設けられたガイドシャフト２８に支持され、他端を装置本体１００に設けられたレール２９に摺動可能に当接する突出部３０が前記キャリッジ２１の底面に形成されている。
【００５０】
こうしてキャリッジ２１は図示しない駆動源により、ガイドシャフト２８、およびレール２９に沿って、原稿台ガラス１の下側を支障なく自由に移動可能な構成となる。
【００５１】
次いで、ＡＤＦ２００は下記から構成される。
【００５２】
原稿トレイ１７に積載された原稿を１枚ずつ給紙するためのピックアップローラ５、取り出された原稿の重送を防止する分離搬送ローラ６、分離パッド７、用紙を読み取り部まで搬送するための搬送ローラ対８、９、搬送ガイド対１０、読み取り部において原稿を流し読み用原稿台ガラス２に押さえつけるための白色ローラ１１、用紙を排出トレイ１２まで送り出すための排紙ローラ対１３、１４、排紙ガイド対１５から構成される。
【００５３】
排出トレイ１２はブック読み時の原稿をブック読み用ガラス３に押さえつけるための圧板の機能をも兼ね備えている。
【００５４】
次に動作を説明する。
【００５５】
ＡＤＦ２００の原稿トレイ１７に原稿が置かれた状態でスタートキーが押された場合、まず密着型イメージセンサ１８は原稿台ガラス１の下面に摺動しながらガイドシャフト２８の軸方向に沿って流し読み用ガラス２の下方へ向けて移動し、白色ローラ１１のほぼ直下で停止する。
【００５６】
この動作と並行して、原稿はピックアップローラ５により給紙される。
【００５７】
給紙された原稿は、分離搬送ローラ６と分離パッド７で１枚ずつ確実に分離され、搬送ローラ対８の搬送力により搬送ガイド対１０を通過した後、搬送ローラ対９に送られ、流し読みの読み取り位置である白色ローラ１１と流し読み用ガラス２の間に送られる。
【００５８】
このとき密着型イメージセンサ１８はすでに流し読み位置に到達しているので、流し読み用ガラス２を通過する原稿の画像情報を順次読み取ることができる。
【００５９】
読み取りが進むに従って、原稿は白色ローラ１１を越え、ジャンプ台４にて先端をすくわれ、流し読み用ガラス２から離間を開始する。
【００６０】
その後、原稿は排紙ローラ対１３により搬送された後、排紙ガイド対１５を通過し、排紙ローラ対１４により排出トレイ１２上に排出され、１枚目の読み取り動作を終了する。
【００６１】
もし原稿トレイ１７上に複数の原稿が載置された場合は、この動作を継続して繰り返し、最終原稿の読み取りが終了した時点で読み取り動作を終了することになる。
【００６２】
次いで、原稿トレイ１７に原稿が載置されない状態でスタートキーが押された場合、装置本体１００はブック読み用ガラス３に原稿が置かれたと判断し、密着型イメージセンサ１８は原稿台ガラス１の下面に摺動しながらガイドシャフト２８の軸方向に沿って移動し、ブック読み用ガラス３上に載置された画像の読み取りをおこなう。
【００６３】
ここで、流し読み用ガラス２、ブック読み用ガラス３、およびジャンプ台４はすべて原稿台ガラス１の上面に載置もしくは固定されているため、原稿台ガラス１の下面は単一の平面であり、前記スペーサ２６、２７の当接する範囲は全域わたって段差がない。
【００６４】
つまり、密着型イメージセンサ１８が流し読み位置とブック読み領域の間を移動する際もスペーサ２６、２７が原稿台ガラス１の下面に常に安定して接触しており、衝撃などによる不具合は全く発生しない。
【００６５】
また、流し読み時においても、ジャンプ台４の先端が流し読み用ガラス２上面よりも低い位置にあるため、支障なく流し読み用ガラス２から原稿先端をすくうことができる。
【００６６】
また、流し読み用ガラス２上面、およびブック読み用ガラス３上面は原稿台ガラス１の下面から同一の厚さであるため、焦点距離は流し読みとブック読みの両方で同一であり、両方で安定した解像度が得られることになる。
【００６７】
（実施例２）
図４は本発明の第２の実施例におけるガラス構造を示す。
【００６８】
実施例１では原稿台ガラス１の上に各々流し読み用ガラス、ブック読み用ガラスを載置、または貼り付けしたが、第２の実施例では、透明コーティング３１、３２を原稿台ガラス１の表面に施している。
【００６９】
さらに、本実施例では第１の実施例におけるジャンプ台４と比較して、先端の厚みを極力微小寸法に抑えている。
【００７０】
よって、この厚みよりもやや厚いコーティングを原稿台ガラス１の表面に蒸着コーティングもしくはフィルムコーティングすることにより、ジャンプ台４で原稿を確実にすくいとることができる。
【００７１】
【発明の効果】
以上説明したように、本発明によれば、原稿台ガラス下面を単一の平面で構成しているため、密着型イメージセンサのスペーサは常に安定して接触しており、衝撃などによる画像不具合は全く発生しない。
【００７２】
また、同じく単一の平面で構成しているため、ガラスの段差を乗り越える機構を必要としないため、コストアップや装置の大型化などの弊害を防止することができる。
【００７３】
また、スクレーパシートなども用いていないため、傷による画像への悪影響が発生する心配がない。
【００７４】
また、流し読み時においても、前記ジャンプ台１６の先端が前記流し読み用ガラス２上面よりも確実に低い位置にあるため、支障なく原稿先端をすくうことができる。
【００７５】
また、画像読み取り面が同一面であるため、焦点距離が等しく、流し読みとブック読みの両方で安定した解像度が得られる。
【００７６】
加えて、原稿台ガラスおよびジャンプ台を一体として取り扱えるので、サービスメンテナンスなどでガラスを取り外す際などには従来よりも扱いやすくなるという利点がある。
【図面の簡単な説明】
【図１】本発明の第１の実施例に係る読み取り装置の正面断面図。
【図２】本発明の第１の実施例に係る読み取り装置の側面断面図。
【図３】本発明の第１の実施例に係る原稿台ガラスの拡大図。
【図４】本発明の第２の実施例に係る原稿台ガラスの拡大図。
【符号の説明】
１  原稿台ガラス
２  ブック読み用ガラス
３  流し読み用原稿台ガラス
３  密着型イメージセンサ
１６  ジャンプ台
２１  キャリッジ
２６、２７  スペーサ
【図１】
2004336273.tif 000003
【図２】
2004336273.tif 000004
【図３】
2004336273.tif 000005
【図４】
2004336273.tif 000006